(57)【要約】      （修正有）【課題】ユーザの髪に常に優しく滑らかに接触し、ユーザの髪を引っ張ったり引きちぎったりすることが防止されるブリスルパッド・ヘアブラシを提供する。【解決手段】ブリスルパッド・ヘアブラシのタフト部３０が、傾斜面をもつ複数の等間隔なタフトフラット配置領域３２を有している。タフトフラット配置領域は傾斜面を備える構成であるため、タフトフラット配置領域にブリスル３３を植付けると、ブリスルは傾斜してタフト部を覆い、これにより、タフト部上に配置されるブリスルパッドが自然に形成される。ブリスルパッドが衝撃を吸収することで、ブリスルパッド・ヘアブラシはユーザの髪に常に優しく滑らかに接触し、ブリスルパッド・ヘアブラシがユーザの髪を引っ張ったり引きちぎったりすることが防止され、また、ユーザの抜けた髪がタフト部に残ったり蓄積したりすることが防止される。【選択図】図４
0003170169.tif 000002
【実用新案登録請求の範囲】
【請求項１】
ブリスルパッド・ヘアブラシであって、
タフト部とハンドルとを備え、前記タフト部は、傾斜面をもつ複数の等間隔なタフトフラット配置領域と、それらの上に植付けられた複数のブリスルとを有し、前記タフトフラット配置領域が傾斜した構成としていることを特徴とするブリスルパッド・ヘアブラシ。
【請求項２】
複数のブラシピンをさらに有し、それらの各々は、軸方向がヘアブラシ・ハンドルに垂直になっており、前記ブリスルの各々は、前記ブラシピンの植付け方向に斜めに逸れており、前記ブリスルの各々は、好ましくは前記ヘアブラシ・ハンドルの軸方向に対して４５度以下の角度で傾斜していることを特徴とする請求項１に記載のブリスルパッド・ヘアブラシ。
【請求項３】
前記ブリスルパッド・ヘアブラシの前記タフト部は、傾斜面をもつ複数の等間隔なタフトフラット配置領域を有しており、これらは、機械またはツールにより複数のブリスルが自動で植付けられるようにしていることを特徴とする請求項１に記載のブリスルパッド・ヘアブラシ。
【請求項４】
当該ヘアブラシの前記タフト部は、円柱形状、平坦な平面形状、あるいは何らかの適当かつ許容可能な形状であることを特徴とする請求項１、２、３のいずれか１つに記載のブリスルパッド・ヘアブラシ。
【考案の詳細な説明】
【技術分野】
【０００１】
本考案は、複数のブラシブリスルやピンを植え付けたタフト部とハンドルとを備えるブリスルパッド・ヘアブラシに関するものである。
【背景技術】
【０００２】
従来のヘアブラシをそれぞれ示す図１および図２を参照すると、従来のヘアブラシは、ブラシ、ピンコーム、あるいはブリスル‐ピン混合ブラシのいずれかにかかわらず、ヘアブラシのタフト部（ tuft portion ：ブリスルやピンを植え付ける部署）１０、２０に植付けられたブラシブリスル１１、２１とブラシピン２２とを有しており、ブラシブリスル１１とブラシピン２２は、その軸方向がブラシボディに対して垂直に配置され、タフト部１０、２０のブリスルやピンが植えられていない木製、プラスチック製、あるいは金属製の部分がむき出しになっている。
【０００３】
このため、ユーザの髪を梳かした後に、むき出しの木製、プラスチック製、あるいは金属製の面がユーザの髪を引っ張ったり引きちぎったりしやすく、抜けた毛がタフト部に残ったり蓄積したりする場合があり、掃除が難しくなる。
さらには、従来のヘアブラシを用いて髪を梳かすときに、ブラシブリスルまたはピンがユーザの髪や頭皮に入り込み、不快に髪を引っ張ったり引きちぎったりする場合がある。言うまでもなく、このような難点は、頭痛の種であり、かつ厄介な問題であり、本考案の主題は上記問題を解決することである。
【０００４】
ヘアブラシのタフト部２０から露出している木製、プラスチック製、あるいは金属製の面がユーザの髪と直接接触しないようにすることにより従来のヘアブラシの上記難点を解消するため、本考案の考案者は、ブラシブリスル２１をタフト部２０の上に平らに寝かせて配置してみた。
【０００５】
図３を参照すると、図の左側に示すようにブラシブリスル２１をタフト部２０に植付けた後、図の右側に示すようにブラシブリスル２１を手で曲げて、前方に傾斜して図中左側に隣接するブラシブリスル２１をそれぞれ覆い被さるようにし、この傾斜して覆い被さったブラシブリスルにより、ユーザの髪がタフト部の底面に直接接触することを防止するブリスルパッドを形成する。ここで、このブリスルパッドとは、多数のブラシブリスル２１を傾斜させて覆い被さった状態のパッド状の状態をいう。
しかしながら、実験結果によると、手でブリスルを押圧する処理によりブリスルパッドを製造するのは手間がかかりすぎて、高い欠陥率や品質が安定しないことにつながる。この実施形態は失敗であり、この問題を解決することは本考案のもう１つの主題である。
【考案の概要】
【考案が解決しようとする課題】
【０００６】
従って、本考案の目的は、先行技術の上記難点を完全に解消するブリスルパッド・ヘアブラシ、即ちブリスルパッドを有するヘアブラシを提供することであり、本考案の考案者は関連産業での長年の経験に基づき幅広い研究と実験を行い、ついに実現可能なブリスルパッド・ヘアブラシ、特に、ブリスルをタフト部のタフトフラット配置領域に、ヘアブラシ・ハンドルの軸方向に沿って斜めに植付けて、ブリスルパッドを自然に形成する、という設計概念によるブリスルパッド・ヘアブラシを開発した。
このヘアブラシのブリスルパッドの独特で斬新な設計により、ヘアブラシはユーザの髪に常に優しく滑らかに接触し、ユーザの髪がブラシによって引っ張られたり引きちぎられたりすることがないようになっており、また、ユーザの抜けた髪がタフト部に残ったり蓄積したりすることが軽減あるいは防止されることで、掃除が容易となり、さらに、このブリスルパッド・ヘアブラシによりユーザの髪を梳かした後には、ユーザの髪のキューティクルが効果的に整えられて、つややかで滑らかな髪になる。
【０００７】
本考案の第２の目的は、ブリスルパッド・ヘアブラシのタフト部に配置された複数の傾斜した等間隔のタフトフラット配置領域をさらに有するブリスルパッド・ヘアブラシを提供することであり、これによって、植えられたブリスルの固定が強化されると共に、ブリスルの植付けを機械により行うことでブリスルパッド・ヘアブラシの大量生産での製造が可能となり、欠陥率を低減し、コストを削減し、不必要な無駄を省くことができる。
【０００８】
本考案の別の目的は、ブリスルパッド・ヘアブラシのタフト部に傾斜面をもつ複数のタフトフラット配置領域を有するブリスルパッド・ヘアブラシを提供することであり、それらの傾斜面は、複数のブリスルを機械またはツールにより植付けするために提供されるもので、これにより、手でブリスルを押圧する処理を必要とすることなく、ブリスルパッドがタフト部に自然に形成される。
【０００９】
本考案のさらなる目的は、本考案のヘアブラシのタフト部を、円柱形状、平坦な（平面）形状、あるいはその他の適当かつ許容可能な形状とすることができ、いずれかの特定の形状のみに限定されることはない、ブリスルパッド・ヘアブラシを提供することである。
【課題を解決するための手段】
【００１０】
本考案の請求項１に記載のブリスルパッド・ヘアブラシでは、タフト部とハンドルとを備え、前記タフト部は、傾斜面をもつ複数の等間隔なタフトフラット配置領域と、それらの上に植付けられた複数のブリスルとを有し、前記タフトフラット配置領域が傾斜した構成としていることを特徴している。
【００１１】
請求項２に記載のブリスルパッド・ヘアブラシでは、複数のブラシピンをさらに有し、それらの各々は、軸方向がヘアブラシ・ハンドルに垂直になっており、前記ブリスルの各々は、前記ブラシピンの植付け方向に斜めに逸れており、前記ブリスルの各々は、好ましくは前記ヘアブラシ・ハンドルの軸方向に対して４５度以下の角度で傾斜していることを特徴としている。
【００１２】
請求項３に記載のブリスルパッド・ヘアブラシでは、前記ブリスルパッド・ヘアブラシの前記タフト部は、傾斜面をもつ複数の等間隔なタフトフラット配置領域を有しており、これらは、機械またはツールにより複数のブリスルが自動で植付けられるようにしていることを特徴としている。
【００１３】
請求項４に記載のブリスルパッド・ヘアブラシでは、当該ヘアブラシの前記タフト部は、円柱形状、平坦な平面形状、あるいは何らかの適当かつ許容可能な形状であることを特徴としている。
【考案の効果】
【００１４】
請求項１に記載のブリスルパッド・ヘアブラシによれば、本考案のブリスルパッド・ヘアブラシ、即ちブリスルパッドを有するヘアブラシは、タフト部とハンドヘルド・ハンドルとを備え、本考案のブリスルパッド・ヘアブラシのタフト部は、傾斜面をもつ複数の等間隔なタフトフラット配置領域と、タフトフラット配置領域の各々に植付けられた複数のブリスルとを有している。タフトフラット配置領域が傾斜した構成を備えていることで、各ブリスルを植付けるとそれらのブリスルは傾斜してタフト部を覆い、これにより、タフト部を覆うブリスルパッドが自然に形成される。髪を梳かすときには、ブリスルパッドが衝撃を吸収することでユーザの髪および頭皮に対する接触は常に優しく滑らかとなり、ユーザの髪が引っ張られたり引きちぎられたりすることが防止され、一方で、ユーザの抜けた髪がブリスルパッド・ヘアブラシのタフト部に残ったり蓄積したりすることが軽減または防止される。これにより、掃除が容易となり、さらに、このブリスルパッド・ヘアブラシによりユーザの髪を梳かした後には、ユーザの髪のキューティクルが効果的に整えられて、つややかで滑らかな髪になる。
上記のような機械またはツールによるブリスル植付け工程が完了した後、手によりブリスルを押圧する処理を必要とすることなく、ブラシピンを植付けて、ブリスルを備えたブリスルパッド・ヘアブラシの製造を完了させることができる。
【００１５】
請求項２に記載のブリスルパッド・ヘアブラシによれば、複数のブラシピンをさらに有し、それらの各々は、軸方向がヘアブラシ・ハンドルに垂直になっており、前記ブリスルの各々は、前記ブラシピンの植付け方向に斜めに逸れており、前記ブリスルの各々は、好ましくは前記ヘアブラシ・ハンドルの軸方向に対して４５度以下の角度で傾斜していることで、請求項１の効果を一層確実なものとすることができる。
【００１６】
請求項３に記載のブリスルパッド・ヘアブラシによれば、前記ブリスルパッド・ヘアブラシの前記タフト部は、傾斜面をもつ複数の等間隔なタフトフラット配置領域を有しており、これらは、機械またはツールにより複数のブリスルが自動で植付けられるようにしていることで、手でブリスルを押圧する処理を必要とすることなく、ブリスルパッドがタフト部に自然に形成される。
【００１７】
請求項４に記載のブリスルパッド・ヘアブラシによれば、ヘアブラシのタフト部は、円柱形状に限らず、平坦な（平面）形状、あるいは他の適当かつ許容可能な形状にも適用できて、どのような形状のタフト部を有するヘアブラシにも適用できるものである。
【図面の簡単な説明】
【００１８】
【図１】図１は、従来のヘアブラシのブラシブリスルが結合されたタフト部の概略図である。
【図２】図２は、従来のヘアブラシのブラシブリスルおよびブラシピンが結合されたタフト部の概略図である。
【図３】図３は、研究開発過程での本考案の失敗した実施形態の概略図である。
【図４】図４は、本考案により斜めに植付けられたブリスルの概略構造図である。
【図５】図５は、本考案の好適な実施形態によるブリスルパッド・ヘアブラシの概略構造図である。
【図６】図６（ａ）（ｂ）は、本考案の別の好適な実施形態によるブリスルパッド・ヘアブラシの概略平面図及び正面図である。
【図７】図７（ａ）（ｂ）は、本考案のさらに別の好適な実施形態によるブリスルパッド・ヘアブラシの概略平面図及び正面図である。
【考案を実施するための形態】
【００１９】
本考案の技術的特徴および効果は、以下の好適な実施形態の詳細な説明と、関連する図面の説明により明らかとなるであろう。
【００２０】
本考案のブリスルパッド・ヘアブラシを示す図４を参照すると、ブリスルパッド・ヘアブラシ、即ちブリスルパッドを有するヘアブラシは、タフト部３０とハンドル３１とを備えており、ハンドル３１はヘアブラシのハンドルの一般的なハンドヘルド構造であるため、ここで詳細な説明は行わない。本考案は、タフト部３０が、複数の傾斜した等間隔のタフトフラット配置領域（ tuft flat-position areas ) ３２と、タフトフラット配置領域３２の各々に植付けられた複数のブリスル３３とを有していることを特徴としている。
【００２１】
タフトフラット配置領域３２は傾斜面構成を採用しているので、ブリスル３３が植付けられると、それらのブリスル３３は傾斜してタフト部３０を覆い、これにより、タフト部を覆うブリスルパッドが自然に形成される。ブリスルパッドにより衝撃が吸収されることによって、ブリスルパッドはユーザの髪に常に優しく滑らかに接触し、このため、ユーザの髪が引っ張られたり引きちぎられたりすることが防止され、一方で、ユーザの抜けた髪がタフト部３０に残ったり蓄積したりすることが軽減あるいは防止される。
上記のブリスル植付け工程は機械あるいはツールを用いて達成され、手でブリスルを押圧する処理を必要とすることなく、ブラシピン３４を植付けて、ブリスルを備えたブリスルパッド・ヘアブラシの製造を完了させることができる。
【００２２】
本考案のブリスルパッド・ヘアブラシを示す図５を参照すると、ブラシピン３４の各々は軸方向がヘアブラシ・ハンドル３１に対して垂直になっており、ブリスル３３の各々はブラシピン３４の軸方向から斜めに逸れており、ブリスル３３の各々は、ヘアブラシ・ハンドル３１の軸方向に対して４５度以下の角度で傾斜している。
【００２３】
本考案の斜めブリスルパッドの密度および厚さはブリスル３３の量によって決まるので、ブリスル３３の量を適当に調節することにより所望の密度のブリスルパッドを実現すること可能であり、これにより、髪を滑らかに梳かすための快適なブリスルパッド・ヘアブラシを製造することができる。
すなわち、本考案の斜め植付けブリスルパッドの密度および厚さは、ブリスルの量によって決まるので、髪を優しく滑らかに梳かすための快適で優れたブリスルパッド・ヘアブラシを製造するために、ブリスルパッドの密度をブリスルの量によって適当に調節することが可能である。
【００２４】
このように本実施形態では、ブリスルパッド・ヘアブラシのタフト部は、傾斜面をもつ複数の等間隔なタフトフラット配置領域と、それらの上に植付けられた複数のブリスルとを有し、ブリスルをタフトフラット配置領域に植付けると、ブリスルによって覆われた構造が自然にパッドのように形成され、ブリスルパッドが衝撃を吸収することでブリスルパッド・ヘアブラシはユーザの髪に常に優しく滑らかに接触し、一方で、ブリスルがタフト部の底部表面を覆うことで、ブリスルがユーザの髪を引っ張ったり引きちぎったりすることが防止され、また、ユーザの抜けた髪がタフト部に残ったり蓄積したりすることが防止されて、掃除が容易となり、さらに、このブリスルパッド・ヘアブラシによりユーザの髪を梳かした後には、ユーザの髪のキューティクルが効果的に整えられて、つややかで滑らかな髪になる。
また、複数のブラシピンをさらに有し、それらの各々は、軸方向がヘアブラシ・ハンドルに垂直になっており、前記ブリスルの各々は、前記ブラシピンの植付け方向に斜めに逸れており、前記ブリスルの各々は、好ましくは前記ヘアブラシ・ハンドルの軸方向に対して４５度以下の角度で傾斜していることで、これらの効果を一層確実なものとすることができる。
【００２５】
また、本実施形態では、ブリスルパッド・ヘアブラシのタフト部に配置された複数の傾斜した等間隔のタフトフラット配置領域を有しているので、これによって、植えられたブリスルの固定が強化されると共に、ブリスルの植付けを機械により行うことでブリスルパッド・ヘアブラシの大量生産での製造が可能となり、欠陥率を低減し、コストを削減し、不必要な無駄を省くことができる。
【００２６】
さらに、本実施形態では、ブリスルパッド・ヘアブラシのタフト部に傾斜面をもつ複数のタフトフラット配置領域を有しているので、それらの傾斜面は、複数のブリスルを機械またはツールにより植付けするために提供されるもので、これにより、手でブリスルを押圧する処理を必要とすることなく、ブリスルパッドがタフト部に自然に形成される。
【００２７】
本考案の上記好適な実施形態においては、ブリスルパッド・ヘアブラシのタフト部３０は略円柱形状であるが、本考案のヘアブラシの設計概念は、（略平面形状の）平坦なタフト部を備えるヘアブラシに適用することもでき、同様の効果を得ることができる。
【００２８】
図６および７を参照すると、タフト部４０、４０’も、それぞれの上に配置された複数の傾斜した等間隔のタフトフラット配置領域４２、４２’を有しており、複数のブリスル（図示せず）をタフトフラット配置領域４２、４２’に容易に植付けてブリスルパッド・ヘアブラシを作製することができる。違いは、一方は円柱形状のタフト部を有し、他方は平坦な（平面）形状のタフト部を有していることにある。
どちらを用いてヘアブラシを製造するかにかかわりなく、両方のヘアブラシとも滑らかで快適に髪を梳かすことができる。つまり、本考案のヘアブラシのタフト部は、円柱形状、平坦な（平面）形状、あるいは他の適当かつ許容可能な形状とすることができ、いずれかの特定の形状のみに限定されるものではない。４１または４１’はハンドルである。このように本考案のヘアブラシのタフト部は、円柱形状に限らず、平坦な（平面）形状、あるいは他の適当かつ許容可能な形状にも適用できて、どのような形状のタフト部を有するヘアブラシにも適用できるものである。
【００２９】
上記説明を要約すると、本考案は、改良された実現可能なブリスルパッド・ヘアブラシ、特に、ブリスルをタフト部のタフトフラット配置領域に斜めに植付けて、ブリスルパッドを自然に形成する、という設計概念によるブリスルパッド・ヘアブラシを提供する。本考案は実用新案登録出願要件に適合するものであり、正式に実用新案登録出願を行うものである。
【００３０】
本考案について具体的な実施形態により説明したが、当業者は、実用新案登録請求の範囲に記載された考案の範囲および精神から逸脱することなく、これらを様々に改良および変形することができる。
【符号の説明】
【００３１】
１０  タフト部
１１  ブラシブリスル
２０  タフト部
２１  ブラシブリスル
２２  ブラシピン
３０  タフト部
３１  ハンドル
３２  タフトフラット配置領域
３３  ブリスル
３４  ブラシピン
４０、４０’タフト部
４１、４１’ハンドル
４２、４２’タフトフラット配置領域
【図１】
0003170169.tif 000003
【図２】
0003170169.tif 000004
【図３】
0003170169.tif 000005
【図４】
0003170169.tif 000006
【図５】
0003170169.tif 000007
【図６】
0003170169.tif 000008
【図７】
0003170169.tif 000009
【手続補正書】
【提出日】平成23年7月4日(2011.7.4)
【手続補正１】
【補正対象書類名】明細書
【補正対象項目名】００１０
【補正方法】変更
【補正の内容】
【００１０】
本考案の請求項１に記載のブリスルパッド・ヘアブラシでは、タフト部とハンドルとを備え、前記タフト部は、傾斜面をもつ複数の等間隔なタフトフラット配置領域と、それらの上に植付けられた複数のブリスルとを有し、前記タフトフラット配置領域が、前記ブリスルを前記傾斜面に対して略直交する方向に植付けた際に該ブリスルは前記タフト部の軸方向に対して該タフト部を覆うように傾斜した構成としていることを特徴している。
【手続補正２】
【補正対象書類名】実用新案登録請求の範囲
【補正対象項目名】請求項１
【補正方法】変更
【補正の内容】
【請求項１】
ブリスルパッド・ヘアブラシであって、
タフト部とハンドルとを備え、前記タフト部は、傾斜面をもつ複数の等間隔なタフトフラット配置領域と、それらの上に植付けられた複数のブリスルとを有し、前記タフトフラット配置領域が、前記ブリスルを前記傾斜面に対して略直交する方向に植付けた際に該ブリスルは前記タフト部の軸方向に対して該タフト部を覆うように傾斜した構成としていることを特徴とするブリスルパッド・ヘアブラシ。